(57)【要約】  Ｎ個のチャネルの中から他の無線通信装置により割り当てられたチャネルにて信号を受信する無線通信装置において、割り当ての候補となるＭ個の要求チャネルのうち、少なくとも最新のＭ−Ｋ個の要求チャネルを表す情報を記憶する記憶部と、Ｎ個のチャネルからＭ−Ｋ個の要求チャネルを除いたチャネルの中から、新しく要求チャネルに追加するＫ個の追加チャネルを選択し、さらにＭ−Ｋ個の要求チャネルとＫ個の追加チャネルとを併せた要求チャネルのうち、少なくとも最新のＭ−Ｋ個の要求チャネルを表す情報を記憶部に格納する追加チャネル選択部と、他の無線通信装置に報告する報告情報であって、追加チャネル選択部が選択したＫ個の追加チャネルを表す情報を含む報告情報を生成する報告情報生成部とを備えることを特徴とする無線通信装置。
2008041752.tif 000002
【特許請求の範囲】
【請求項１】
Ｎ個のチャネルの中から他の無線通信装置により割り当てられたチャネルにて信号を受信する無線通信装置において、
割り当ての候補となるＭ個の要求チャネルのうち、新しい方から少なくともＭ−Ｋ個の要求チャネルを表す情報を記憶する記憶部と、
前記Ｎ個のチャネルから前記Ｍ−Ｋ個の要求チャネルを除いたチャネルの中から、新しく要求チャネルに追加するＫ個の追加チャネルを選択し、さらに前記Ｍ−Ｋ個の要求チャネルと該Ｋ個の追加チャネルとを併せた要求チャネルのうち、新しい方から少なくともＭ−Ｋ個の要求チャネルを選択し、該選択した要求チャネルを表す情報を前記記憶部に格納する追加チャネル選択部と、
前記他の無線通信装置に報告する報告情報であって、前記追加チャネル選択部が選択したＫ個の追加チャネルを表す情報を含む報告情報を生成する報告情報生成部と
を備えることを特徴とする無線通信装置。
【請求項２】
前記他の無線通信装置からの受信信号に基づき、各チャネルの受信品質を測定する受信品質測定部を備え、
前記追加チャネル選択部は、前記受信品質に基づき、前記追加チャネルを選択することを特徴とする請求項１に記載の無線通信装置。
【請求項３】
前記報告情報生成部は、前記追加チャネルを表す情報に加えて、該追加チャネルの前記受信品質を表す情報を含む報告情報を生成することを特徴とする請求項１に記載の無線通信装置。
【請求項４】
前記追加チャネル選択部は、前記Ｎ個のチャネルから前記記憶部が記憶するＭ−Ｋ個の要求チャネルを除いたチャネルの中から、Ｋ個の追加チャネルを選択し、前記受信品質のうち、前記記憶部が記憶するＭ−Ｋ個の要求チャネルと該Ｋ個の追加チャネルとを併せたＭ個の要求チャネルの受信品質を選択し、該Ｍ個の要求チャネルのうち、新しい方から少なくともＭ−Ｋ個の要求チャネルを選択し、該選択したＭ−Ｋ個の要求チャネルを表す情報を前記記憶部に格納し、
前記報告情報生成部は、前記追加チャネル選択部が選択したＭ個の要求チャネルの受信品質を表す情報を含む報告情報を生成することを特徴とする請求項１に記載の無線通信装置。
【請求項５】
Ｎ個のチャネルの中から他の無線通信装置に割り当てたチャネルにて、前記他の無線通信装置に信号を送信する無線通信装置において、
割り当ての候補となる要求チャネルに新しく追加するＫ個の追加チャネルを表す情報を含む報告情報を、前記他の無線通信装置から受信した信号から分離する分離部と、
前記分離部が分離した報告情報から前記Ｋ個の追加チャネルを表す情報を抽出し、該抽出した情報が表すＫ個の追加チャネルと、バッファ領域に記憶している情報が表すＭ個の要求チャネルとから、最新のＭ個の要求チャネルを選択して前記バッファ領域に格納するバッファ部と、
前記バッファ部が選択したＭ個の要求チャネルに基づき、前記他の無線通信装置に割り当てるチャネルをスケジューリングするスケジューリング部と
を備えることを特徴とする無線通信装置。
【請求項６】
前記報告情報は、前記追加チャネルを表す情報に加えて、該追加チャネルの受信品質を表す情報を含み、
前記バッファ領域は、前記要求チャネルを表す情報に加えて、該要求チャネルの受信品質を表す情報を記憶し、
前記バッファ部は、前記報告情報から抽出したＫ個の追加チャネルと、バッファ領域に記憶している情報が表すＭ個の要求チャネルとから、最新のＭ個の要求チャネルを選択して前記バッファ領域に格納するとともに、前記報告情報から受信品質を表す情報を抽出し、該抽出した受信品質を表す情報と、前記バッファ領域に記憶している受信品質を表す情報とから、前記選択したＭ個の要求チャネルの受信品質を表す情報を選択して前記バッファ領域に格納し、
前記スケジューリング部は、前記バッファ部が選択したＭ個の要求チャネルに加えて、前記バッファ部が選択した受信品質を表す情報に基づき、前記他の無線通信装置に割り当てるチャネルをスケジューリングすること
を特徴とする請求項５に記載の無線通信装置。
【請求項７】
前記報告情報は、前記追加チャネルを表す情報に加えて、該追加チャネルを含むＭ個の要求チャネルの受信品質を表す情報を含み、
前記バッファ部は、前記報告情報から追加チャネルを表す情報に加えて、該追加チャネルを含むＭ個の要求チャネルの受信品質を表す情報を抽出し、
前記スケジューリング部は、前記バッファ部が選択したＭ個の要求チャネルに加えて、前記バッファ部が抽出した受信品質を表す情報に基づき、前記他の無線通信装置に割り当てるチャネルをスケジューリングすること
を特徴とする請求項５に記載の無線通信装置。
【請求項８】
第１の無線通信装置と、Ｎ個のチャネルの中から前記第１の無線通信装置が割り当てたチャネルにて信号を受信する第２の無線通信装置とからなる無線通信システムにおいて、
前記第２の無線通信装置は、
割り当ての候補となるＭ個の要求チャネルのうち、新しい方から少なくともＭ−Ｋ個の要求チャネルを表す情報を記憶する記憶部と、
前記Ｎ個のチャネルから前記Ｍ−Ｋ個の要求チャネルを除いたチャネルの中から、新しく要求チャネルに追加するＫ個の追加チャネルを選択し、さらに前記Ｍ−Ｋ個の要求チャネルと該Ｋ個の追加チャネルとを併せた要求チャネルのうち、新しい方から少なくともＭ−Ｋ個の要求チャネルを選択し、該選択した要求チャネルを表す情報を前記記憶部に格納する追加チャネル選択部と、
前記第１の無線通信装置に報告する報告情報であって、前記追加チャネル選択部が選択したＫ個の追加チャネルを表す情報を含む報告情報を生成する報告情報生成部と
を備え、
前記第１の無線通信装置は、
前記報告情報を、前記第２の無線通信装置から受信した信号から分離する分離部と、
前記分離部が分離した報告情報からＫ個の追加チャネルを表す情報を抽出し、該抽出した情報が表すＫ個の追加チャネルと、バッファ領域に記憶している情報が表すＭ個の要求チャネルとから、最新のＭ個の要求チャネルを選択して前記バッファ領域に格納するバッファ部と、
前記バッファ部が選択したＭ個の要求チャネルに基づき、前記第２の無線通信装置に割り当てるチャネルをスケジューリングするスケジューリング部と
を備えることを特徴とする無線通信システム。
【請求項９】
第１の無線通信装置と、Ｎ個のチャネルの中から前記第１の無線通信装置が割り当てられたチャネルを受信する第２の無線通信装置とからなる無線通信システムにおける無線通信方法であって、
前記第２の無線通信装置が、割り当ての候補となるＭ個の要求チャネルであって前回の要求チャネルのうちで最新のＭ−Ｋ個の要求チャネルを、前記Ｎ個のチャネルから除いたチャネルの中から、新しく要求チャネルに追加するＫ個の追加チャネルを選択する第１の過程と、
前記第２の無線通信装置が、前記第１の過程にて選択されたＫ個の追加チャネルを表す情報を含む報告情報を生成する第２の過程と、
前記第２の無線通信装置が、前記第２の過程にて生成した報告情報を、前記第１の無線通信装置に送信する第３の過程と、
前記第１の無線通信装置が、前記第３の過程にて送信された前記報告情報を受信する第４の過程と、
前記第１の無線通信装置が、前記第４の過程にて受信した報告情報から、前記Ｋ個の追加チャネルを表す情報を抽出し、該抽出した情報が表すＫ個の追加チャネルと、前回のＭ個の要求チャネルとから、最新のＭ個を今回の要求チャネルとして選択する第５の過程と、
前記第１の無線通信装置が、前記第５の過程にて選択されたＭ個の要求チャネルに基づき、前記第２の無線通信装置に割り当てるチャネルをスケジューリングする第６の過程と
を備えることを特徴とする無線通信方法。
【請求項１０】
Ｎ個のチャネルの中から他の無線通信装置により割り当てられたチャネルにて信号を受信する無線通信装置における報告情報送信方法において、
前記無線通信装置が、割り当ての候補となるＭ個の要求チャネルであって前回の要求チャネルのうちで最新のＭ−Ｋ個の要求チャネルを、前記Ｎ個のチャネルから除いたチャネルの中から、新しく要求チャネルに追加するＫ個の追加チャネルを選択する第１の過程と、
前記無線通信装置が、前記第１の過程にて選択されたＫ個の追加チャネルを表す情報を含む報告情報を生成する第２の過程と、
前記無線通信装置が、前記第２の過程にて生成した報告情報を、前記第１の無線通信装置に送信する第３の過程と
を備えることを特徴とする報告情報送信方法。
【請求項１１】
Ｎ個のチャネルの中から他の無線通信装置に割り当てたチャネルにて、前記他の無線通信装置に信号を送信する無線通信装置におけるスケジューリング方法において、
前記無線通信装置が、前記他の無線通信装置から報告情報を受信する第１の過程と、
前記無線通信装置が、前記第１の過程にて受信した報告情報から、前記Ｋ個の追加チャネルを表す情報を抽出し、該抽出した情報が表すＫ個の追加チャネルと、前回のＭ個の要求チャネルとから、最新のＭ個を今回の要求チャネルとして選択する第２の過程と、
前記無線通信装置が、前記第２の過程にて選択されたＭ個の要求チャネルに基づき、前記他の無線通信装置に割り当てるチャネルをスケジューリングする第３の過程と
を特徴とするスケジューリング方法。
【発明の詳細な説明】
【技術分野】
【０００１】
本発明は、無線通信装置、無線通信システム、無線通信方法、報告情報送信方法およびスケジューリング方法にかかわり、特にリバースリンクにて通知された情報に基づき複数のチャネルの中から割り当てたチャネルにて、データを送受信する無線通信装置、無線通信システム、無線通信方法、報告情報送信方法およびスケジューリング方法に関する。
本願は、２００６年１０月５日に、日本に出願された特願２００６−２７４１８４号に基づき優先権を主張し、その内容をここに援用する。
【背景技術】
【０００２】
現在、移動通信システムにおいてはデータ通信の需要が高まっており、データ通信の増加に伴い、高い周波数利用効率が得られる様々な技術が提案されている。
周波数利用効率を高める可能性を持った技術の一つにＯＦＤＭＡ（Orthogonal Frequency Division Multiple Access：直交周波数分割多元接続）という技術がある。これは、セルで構成される通信エリアおいて、すべてのセルにおいて同じ周波数を用いて通信を行ない、通信する際の変調方式がＯＦＤＭ（Orthogonal Frequency Division Multiplexing：直交周波数分割多重）であり、アクセス方式がＴＤＭＡ（Time Division Multiple Access：時分割多元接続）、ＦＤＭＡ（Frequency Division Multiple Access：周波数分割多元接続）を使用しているという技術である。孤立セルでは、セルエリアと共通の無線インターフェースを持ちながら、より高速なデータ通信が実現できる通信方式である。【０００３】
ＯＦＤＭＡシステムのスケジューリングとして、Ｗ−ＣＤＭＡ（Wideband-Code Division Multiple Access）移動通信システムにおける下り高速パケット伝送方式（ＨＳＤＰＡ：High Speed Downlink Packet Access）では、通信端末装置がすべてのサブキャリアにおける下り回線状態を示す情報であるＣＱＩ（Channel Quality Indicator：受信品質情報）を基地局装置に報告し、基地局装置は各通信端末装置から報告されたすべてのサブキャリアの受信品質情報ＣＱＩに基づいて、パケットのスケジューリングを行なうという方法が提案されている（例えば、非特許文献１）。
同様に、複数の副搬送波を用いるＯＦＤＭＡシステムにおける送信データのスケジューリングにおいて、通信端末装置で下りの各チャネル状態（周波数特性）を評価し、上りのフィードバックチャネルを用いて各チャネル状態を量子化した情報を基地局装置に報告し、基地局装置は報告された情報に基づいて各通信端末装置に割り振る副搬送波を決定するという発明が公開されている（例えば、特許文献１）。【０００４】
さらに、ＯＦＤＭＡシステムにおける受信品質のフィードバック方法として、受信機は受信品質が上位の複数のサブキャリアを選択し、当該複数のサブキャリアを示す情報と前記複数のサブキャリアの受信品質の平均値を送信機に報告することにより、フィードバック情報量を軽減し、通信端末装置から基地局装置へのリバースリンクのオーバヘッドを抑制する方法が提案されている（例えば、特許文献２）。
また、ＯＦＤＭシステムにおいて、伝送品質の悪いキャリアを使用しないために、受信機は伝送品質の悪いキャリアを指定し、そのキャリアの周波数情報あるいはキャリアの番号を基地局に報告する方法も提案されている（例えば、特許文献３、特許文献４）。
【特許文献１】特開２００５−１３０４９１号公報
【特許文献２】特開２００４−２０８２３４号公報
【特許文献３】特開２００１−１４８６８２号公報
【特許文献４】特開２００４−１４７０６８号公報
【非特許文献１】“Ｃｏｍｍｅｎｔｓ  ｏｎ  ｆｒｅｑｕｅｎｃｙ  ｓｃｈｅｄｕｌｉｎｇ  ａｎｄ  ｊｏｉｎｔ  ｐｏｗｅｒ  ａｎｄ  ｒａｔｅ  ｏｐｔｉｍｉｚａｔｉｏｎ  ｆｏｒ  ＯＦＤＭ”、  ３ＧＰＰ、  ＴＳＧ  ＲＡＮ  ＷＧ１  Ｍｅｅｔｉｎｇ  ＃２９、  Ｒ−０２−１３２１、２００２年１１月
【発明の開示】
【発明が解決しようとする課題】
【０００５】
解決しようとする問題点は、広帯域通信などにおいては、チャネル数が非常に多いためにチャネルを識別する識別情報の情報量（ビット数）も大きくなり、複数のチャネルの識別情報とそのチャネルにおける受信品質情報を端末装置から基地局装置へのリバースリンクにてフィードバックする報告情報の情報量が大きくなり、通信端末装置から基地局装置へのリバースリンク（上りリンク）の通信容量を逼迫するという点である。
【課題を解決するための手段】
【０００６】
本発明は、上述した課題を解決するためになされたもので、本発明の無線通信装置は、Ｎ個のチャネルの中から他の無線通信装置により割り当てられたチャネルにて信号を受信する無線通信装置において、割り当ての候補となるＭ個の要求チャネルのうち、新しい方から少なくともＭ−Ｋ個の要求チャネルを表す情報を記憶する記憶部と、前記Ｎ個のチャネルから前記Ｍ−Ｋ個の要求チャネルを除いたチャネルの中から、新しく要求チャネルに追加するＫ個の追加チャネルを選択し、さらに前記Ｍ−Ｋ個の要求チャネルと該Ｋ個の追加チャネルとを併せた要求チャネルのうち、新しい方から少なくともＭ−Ｋ個の要求チャネルを選択し、該選択した要求チャネルを表す情報を前記記憶部に格納する追加チャネル選択部と、前記他の無線通信装置に報告する報告情報であって、前記追加チャネル選択部が選択したＫ個の追加チャネルを表す情報を含む報告情報を生成する報告情報生成部とを備えることを特徴とする。【０００７】
これにより、本発明の無線通信装置は、報告情報において、チャネル割り当ての候補となる要求チャネルの指定を、新しく要求チャネルに追加するＫ個の追加チャネルを表す情報により行うので、報告情報の情報量を抑制することができる。【０００８】
また、本発明の無線通信装置は、上述の無線通信装置であって、前記他の無線通信装置からの受信信号に基づき、各チャネルの受信品質を測定する受信品質測定部を備え、前記追加チャネル選択部は、前記受信品質に基づき、前記追加チャネルを選択することを特徴とする。【０００９】
これにより、本発明の無線通信装置は、受信品質の良好なチャネルを追加チャネルに選択することで、前記他の無線通信装置が受信品質の良好なチャネルを自装置に割り当てるようにすることができる。【００１０】
また、本発明の無線通信装置は、上述の無線通信装置であって、前記報告情報生成部は、前記追加チャネルを表す情報に加えて、該追加チャネルの前記受信品質を表す情報を含む報告情報を生成することを特徴とする。【００１１】
これにより、本発明の無線通信装置は、報告情報により、要求チャネルとして選択したチャネルについては、受信品質を他の無線通信装置に報告するので、前記他の無線通信装置において、該受信品質に基づき受信品質の良好な要求チャネルを優先的に割り当てて、伝送効率を良くすることができる。【００１２】
また、本発明の無線通信装置は、上述の無線通信装置であって、前記追加チャネル選択部は、前記Ｎ個のチャネルから前記記憶部が記憶するＭ−Ｋ個の要求チャネルを除いたチャネルの中から、Ｋ個の追加チャネルを選択し、前記受信品質のうち、前記記憶部が記憶するＭ−Ｋ個の要求チャネルと該Ｋ個の追加チャネルとを併せたＭ個の要求チャネルの受信品質を選択し、該Ｍ個の要求チャネルのうち、新しい方から少なくともＭ−Ｋ個の要求チャネルを選択し、該選択したＭ−Ｋ個の要求チャネルを表す情報を前記記憶部に格納し、前記報告情報生成部は、前記追加チャネル選択部が選択したＭ個の要求チャネルの受信品質を表す情報を含む報告情報を生成することを特徴とする。【００１３】
これにより、本発明の無線通信装置は、報告情報により、要求チャネルとして選択したチャネルについては、最新の受信品質を前記他の無線通信装置に報告するので、前記他の無線通信装置において、該受信品質に基づき受信品質の良好な要求チャネルを優先的に割り当てて、伝送効率を良くすることができる。【００１４】
また、本発明の無線通信装置は、Ｎ個のチャネルの中から他の無線通信装置に割り当てたチャネルにて、前記他の無線通信装置に信号を送信する無線通信装置において、割り当ての候補となる要求チャネルに新しく追加するＫ個の追加チャネルを表す情報を含む報告情報を、前記無線通信装置から受信した信号から分離する分離部と、前記分離部が分離した報告情報から前記Ｋ個の追加チャネルを表す情報を抽出し、該抽出した情報が表すＫ個の追加チャネルと、バッファ領域に記憶している情報が表すＭ個の要求チャネルとから、最新のＭ個の要求チャネルを選択して前記バッファ領域に格納するバッファ部と、前記バッファ部が選択したＭ個の要求チャネルに基づき、前記他の無線通信装置に割り当てるチャネルをスケジューリングするスケジューリング部とを備えることを特徴とする。【００１５】
これにより、本発明の無線通信装置は、報告情報中のチャンネル割り当ての候補となる要求チャネルの指定が、新しく要求チャネルに追加するＫ個の追加チャネルを表す情報による指定となるので、報告情報の情報量を抑制することができる。【００１６】
また、本発明の無線通信装置は、上述の無線通信装置であって、前記報告情報は、前記追加チャネルを表す情報に加えて、該追加チャネルの受信品質を表す情報を含み、前記バッファ領域は、前記要求チャネルを表す情報に加えて、該要求チャネルの受信品質を表す情報を記憶し、前記バッファ部は、前記報告情報から抽出したＫ個の追加チャネルと、バッファ領域に記憶している情報が表すＭ個の要求チャネルとから、最新のＭ個の要求チャネルを選択して前記バッファ領域に格納するとともに、前記報告情報から受信品質を表す情報を抽出し、該抽出した受信品質を表す情報と、前記バッファ領域に記憶している受信品質を表す情報とから、前記選択したＭ個の要求チャネルの受信品質を表す情報を選択して前記バッファ領域に格納し、前記スケジューリング部は、前記バッファ部が選択したＭ個の要求チャネルに加えて、前記バッファ部が選択した受信品質を表す情報に基づき、前記他の無線通信装置に割り当てるチャネルをスケジューリングすることを特徴とする。【００１７】
これにより、本発明の無線通信装置は、各要求チャネルの受信品質を記憶しているので、受信品質の良好な要求チャネルを優先的に割り当てて、伝送効率を良くすることができる。【００１８】
また、本発明の無線通信装置は、上述の無線通信装置であって、前記報告情報は、前記追加チャネルを表す情報に加えて、該追加チャネルを含むＭ個の要求チャネルの受信品質を表す情報を含み、前記バッファ部は、前記報告情報から追加チャネルを表す情報に加えて、該追加チャネルを含むＭ個の要求チャネルの受信品質を表す情報を抽出し、前記スケジューリング部は、前記バッファ部が選択したＭ個の要求チャネルに加えて、前記バッファ部が抽出した受信品質を表す情報に基づき、前記他の無線通信装置に割り当てるチャネルをスケジューリングすることを特徴とする。【００１９】
これにより、本発明の無線通信装置は、各要求チャネルの最新の受信品質に基づき、受信品質の良好な要求チャネルを優先的に割り当てて、伝送効率を良くすることができる。【００２０】
また、本発明の無線通信システムは、第１の無線通信装置と、Ｎ個のチャネルの中から前記第１の無線通信装置が割り当てたチャネルにて信号を受信する第２の無線通信装置とからなる無線通信システムにおいて、前記第２の無線通信装置は、割り当ての候補となるＭ個の要求チャネルのうち、新しい方から少なくともＭ−Ｋ個の要求チャネルを表す情報を記憶する記憶部と、前記Ｎ個のチャネルから前記Ｍ−Ｋ個の要求チャネルを除いたチャネルの中から、新しく要求チャネルに追加するＫ個の追加チャネルを選択し、さらに前記Ｍ−Ｋ個の要求チャネルと該Ｋ個の追加チャネルとを併せた要求チャネルのうち、新しい方から少なくともＭ−Ｋ個の要求チャネルを選択し、該選択した要求チャネルを表す情報を前記記憶部に格納する追加チャネル選択部と、前記第１の無線通信装置に報告する報告情報であって、前記追加チャネル選択部が選択したＫ個の追加チャネルを表す情報を含む報告情報を生成する報告情報生成部とを備え、前記第１の無線通信装置は、前記報告情報を、前記第２の無線通信装置から受信した信号から分離する分離部と、前記分離部が分離した報告情報からＫ個の追加チャネルを表す情報を抽出し、該抽出した情報が表すＫ個の追加チャネルと、バッファ領域に記憶している情報が表すＭ個の要求チャネルとから、最新のＭ個の要求チャネルを選択して前記バッファ領域に格納するバッファ部と、前記バッファ部が選択したＭ個の要求チャネルに基づき、前記第２の無線通信装置に割り当てるチャネルをスケジューリングするスケジューリング部とを備えることを特徴とする。【００２１】
また、本発明の無線通信方法は、第１の無線通信装置と、Ｎ個のチャネルの中から前記第１の無線通信装置が割り当てられたチャネルを受信する第２の無線通信装置とからなる無線通信システムにおける無線通信方法であって、前記第２の無線通信装置が、割り当ての候補となるＭ個の要求チャネルであって前回の要求チャネルのうちで最新のＭ−Ｋ個の要求チャネルを、前記Ｎ個のチャネルから除いたチャネルの中から、新しく要求チャネルに追加するＫ個の追加チャネルを選択する第１の過程と、前記第２の無線通信装置が、前記第１の過程にて選択されたＫ個の追加チャネルを表す情報を含む報告情報を生成する第２の過程と、前記第２の無線通信装置が、前記第２の過程にて生成した報告情報を、前記第１の無線通信装置に送信する第３の過程と、前記第１の無線通信装置が、前記第３の過程にて送信された前記報告情報を受信する第４の過程と、前記第１の無線通信装置が、前記第４の過程にて受信した報告情報から、前記Ｋ個の追加チャネルを表す情報を抽出し、該抽出した情報が表すＫ個の追加チャネルと、前回のＭ個の要求チャネルとから、最新のＭ個を今回の要求チャネルとして選択する第５の過程と、前記第１の無線通信装置が、前記第５の過程にて選択されたＭ個の要求チャネルに基づき、前記第２の無線通信装置に割り当てるチャネルをスケジューリングする第６の過程とを備えることを特徴とする。【００２２】
また、本発明の報告情報送信方法は、Ｎ個のチャネルの中から他の無線通信装置により割り当てられたチャネルにて信号を受信する無線通信装置における報告情報送信方法において、前記無線通信装置が、割り当ての候補となるＭ個の要求チャネルであって前回の要求チャネルのうちで最新のＭ−Ｋ個の要求チャネルを、前記Ｎ個のチャネルから除いたチャネルの中から、新しく要求チャネルに追加するＫ個の追加チャネルを選択する第１の過程と、前記無線通信装置が、前記第１の過程にて選択されたＫ個の追加チャネルを表す情報を含む報告情報を生成する第２の過程と、前記無線通信装置が、前記第２の過程にて生成した報告情報を、前記第１の無線通信装置に送信する第３の過程とを備えることを特徴とする。【００２３】
また、本発明のスケジューリング方法は、Ｎ個のチャネルの中から他の無線通信装置に割り当てたチャネルにて、前記他の無線通信装置に信号を送信する無線通信装置におけるスケジューリング方法において、前記無線通信装置が、前記他の無線通信装置から報告情報を受信する第１の過程と、前記無線通信装置が、前記第１の過程にて受信した報告情報から、前記Ｋ個の追加チャネルを表す情報を抽出し、該抽出した情報が表すＫ個の追加チャネルと、前回のＭ個の要求チャネルとから、最新のＭ個を今回の要求チャネルとして選択する第２の過程と、前記無線通信装置が、前記第２の過程にて選択されたＭ個の要求チャネルに基づき、前記他の無線通信装置に割り当てるチャネルをスケジューリングする第３の過程とを特徴とする。
【発明の効果】
【００２４】
本発明のハンドスキャナは、報告情報において、チャンネル割り当ての候補となる要求チャネルの指定を、新しく要求チャネルに追加するＫ個の追加チャネルを表す情報により行うので、報告情報の情報量を抑制された無線受信装置、無線送信装置、無線通信システムおよび無線通信方法を提供することができる利点がある。
【図面の簡単な説明】
【００２５】
【図１】この発明の第１の実施形態による基地局装置１００の構成を示す概略ブロック図である。
【図２】同実施形態における端末装置２００の構成を示す概略ブロック図である。
【図３】同実施形態における報告情報生成部２１０の内部構成を示す概略ブロック図である。
【図４】同実施形態における受信品質測定部２０９が測定し、出力する受信品質測定結果の一例を示す図である。
【図５】同実施形態における記憶部３０２に記憶されている（Ｍ−Ｋ）個の要求継続チャネル情報とその順序情報の一例を示す図である。
【図６】同実施形態における追加チャネル選択部３０１の動作を表すフローチャートである。
【図７】同実施形態における追加チャネル選択部３０１が報告情報シンボル生成部３０３へ出力する情報の一例を示す図である。
【図８】同実施形態における記憶部３０２に記憶されている（Ｍ−Ｋ）個の要求継続チャネル情報とその順序情報の図５からの更新例を示す図である。
【図９】この発明の第２の実施形態による基地局装置４００の構成を示す概略ブロック図である。
【図１０】同実施形態における端末装置５００の構成を示す概略ブロック図である。
【図１１】同実施形態における報告情報生成部５１０の内部構成を示す概略ブロック図である。
【図１２】同実施形態における追加チャネル選択部９０１の動作を表すフローチャートである。
【図１３】同実施形態における追加チャネル選択部９０１が報告情報シンボル生成部９０３へ出力する情報の一例である。
【符号の説明】
【００２６】
１００、４００…基地局装置
１０１…符号化部
１０２…マッピング部
１０３…マルチプレクス部
１０４…ＩＦＦＴ部
１０５…ＧＩ挿入部
１０６…Ｄ／Ａ変換部
１０７…無線送信部
１０８…アンテナ部
１０９…無線受信部
１１０…Ａ／Ｄ変換部
１１１…デマルチプレクス部
１１２…デマッピング部
１１３…復号化部
１１４…スケジューラ部
１１５…通知情報生成部
１１６…パイロット生成部
１１７、４１７…バッファ部
２００、５００…端末装置
２０１…アンテナ部
２０２…無線受信部
２０３…Ａ／Ｄ変換部
２０４…ＧＩ除去部
２０５…ＦＦＴ部
２０６…デマルチプレクス部
２０７…デマッピング部
２０８…復号化部
２０９…受信品質測定部
２１０、５１０…報告情報生成部
２１１…符号化部
２１２…マッピング部
２１３…マルチプレクス部
２１４…Ｄ／Ａ変換部
２１５…無線送信部
２１６…復調制御部
３０１、９０１…追加チャネル選択部
３０２…記憶部
３０３、９０３…報告情報シンボル生成部 
【発明を実施するための最良の形態】
【００２７】
以下の各実施形態の説明では、受信品質情報として、パイロットシンボルに基づき算出した指標、例えば、ＣＩＮＲ（Carrier-to-Interference plus Noise power Ratio：搬送波対干渉波および雑音電力比）を用いるとして説明する。この他の指標であるＲＳＳＩ（Receive Signal Strength Indication）、ＳＮＲ（Signal to Noise power Ratio：信号対雑音電力比）、ＳＩＲ（Signal to Interference power Ratio：信号対干渉電力比）、ＳＩＮＲ（Signal to Interference plus Noise power Ratio：信号対干渉および雑音電力比）、ＣＮＲ（Carrier to Noise power Ratio：搬送波対雑音電力比）、ＣＩＲ（Carrier to Interference power Ratio：搬送波対干渉波電力比）など受信信号電力や搬送波電力に関連して受信品質を示す指標などを用いても良い。また、受信品質情報として、ＭＣＳ（Modulation and Coding Scheme）や伝送レートなどの変調パラメータを用いても良い。また、下記の各実施形態では、チャネルは一つあるいは複数のサブキャリアを意味しており、複数のチャネルにおけるスケジューリングに関して説明するが、本発明が適用できるチャネルは周波数領域のチャネルに限らず、例えばＳＤＭＡ（Space Division Multiple Access：空間分割多元接続）において固有モードが示す複数のチャネル、あるいはこれらの組み合わせとしてのチャネルなど、複数のチャネルを用いて通信を行なうシステムであってもよい。すなわち、チャネル毎に受信品質が異なる可能性があるシステムにおいて、本発明を適用することができる。【００２８】
また、以下の各実施形態は、セルラーシステムを想定し、基地局装置から端末装置へのＯＦＤＭＡベースの下りリンクと端末装置から基地局装置へ報告情報をフィードバックするリバースリンク（上りリンク）について説明しているが、これに限られるものではない。二つの無線通信装置間で、チャネルを識別する情報（チャネル情報）とそのチャネルにおける受信品質情報とを報告する側（報告情報送信機能を有する側）を端末装置、報告されたチャネル情報とそのチャネルにおける受信品質情報に基づいて、送信データを各チャネルに割り当てる側（割り当て機能を行う側）を基地局装置とする。一つの無線通信装置が両方の機能を有する場合もあり得る。本明細書では、無線通信装置は、無線通信を行なう装置であり、基地局装置、端末装置、無線機、携帯端末装置、携帯電話等を含む。本発明は、複数の無線通信装置のいずれかが割り当て機能を実施し、他の無線通信装置が報告情報送信機能を実施することができる関係にある無線通信装置同士へ適用することができる。
なお、以下の説明において、要求チャネルとは、自装置宛の送信データを割り当てる下りリンクのチャネルの候補として、端末装置が基地局装置に対して要求するチャネルを表し、追加チャネルとは、要求チャネルとして新たに追加するチャネルを表す。【００２９】
［第１の実施形態］
以下、図面を参照して、本発明の第１の実施形態について説明する。図１は、本実施形態における基地局装置１００の構成を示す概略ブロック図である。図２は、本実施形態における端末装置２００の構成を示す概略ブロック図である。
基地局装置１００は、符号化部１０１、マッピング部１０２、マルチプレクス部１０３、ＩＦＦＴ（Inverse Fast Fourier Transformation：高速逆フーリエ変換）部１０４、ＧＩ（Guard Interval：ガード期間）挿入部１０５、Ｄ／Ａ（Digital-to-Analog）変換部１０６、無線送信部１０７、アンテナ部１０８、無線受信部１０９、Ａ／Ｄ（Analog-to-Digital）変換部１１０、デマルチプレクス部１１１、デマッピング部１１２、復号化部１１３、スケジューラ部１１４、通知情報生成部１１５、パイロット生成部１１６、バッファ部１１７を有する。【００３０】
端末装置２００は、アンテナ部２０１、無線受信部２０２、Ａ／Ｄ変換部２０３、ＧＩ除去部２０４、ＦＦＴ（Fast Fourier Transformation：高速フーリエ変換）部２０５、デマルチプレクス部２０６、デマッピング部２０７、復号化部２０８、受信品質測定部２０９、報告情報生成部２１０、符号化部２１１、マッピング部２１２、マルチプレクス部２１３、Ｄ／Ａ変換部２１４、無線送信部２１５、復調制御部２１６を有する。【００３１】
まず、基地局装置１００が信号を送信して、該信号を端末装置２００が受信する手順を図１および図２を用いて説明する。
基地局装置１００では、符号化部１０１が、スケジューラ部１１４から通知される変調パラメータ情報およびスケジューリング情報に従い、入力された送信データに対して、誤り訂正符号化処理と変調処理を行い、該送信データのデータシンボル系列を生成する。マッピング部１０２は、スケジューラ部１１４から通知される変調パラメータ情報およびスケジューリング情報に従い、このデータシンボル系列をサブキャリアへ割り当てる。マルチプレクス部１０３は、マッピングされたデータシンボル系列と、通知情報生成部１１５で生成された通知情報用シンボル系列、およびパイロット生成部１１６で生成されたパイロットシンボル系列を多重化する。ＩＦＦＴ部１０４は、各サブキャリアに割り当てられたシンボル系列をＩＦＦＴ処理して、時間軸の信号に変換し、変換された信号はＧＩ挿入部１０５に送られる。ＧＩ挿入部１０５は、ＩＦＦＴ部１０４で生成された信号にガード期間ＧＩを付加する。Ｄ／Ａ変換部１０６は、ガード期間ＧＩを付加された信号をアナログ信号に変換する。無線送信部１０７は、該アナログ信号を、アップコンバートして、アンテナ部１０８より端末装置２００に送信する。【００３２】
端末装置２００では、基地局装置１００から送信された信号を、アンテナ部２０１を経て無線受信部２０２が受信する。Ａ／Ｄ変換部２０３は、無線受信部２０２が受信してダウンコンバートしたアナログ信号を、デジタル信号に変換する。ＧＩ除去部２０４は、このデジタル信号からガード期間ＧＩを除去し、ガード期間ＧＩを除去した信号をＦＦＴ部２０５に送る。ＦＦＴ部２０５は、ＧＩ除去部２０４から受けた信号を高速フーリエ変換することにより、周波数領域のシンボル系列に変換する。デマルチプレクス部２０６は、ＦＦＴ部２０５から送られたシンボル系列から、パイロットシンボル系列、通知情報用シンボル系列、データシンボル系列を取り出し、それぞれ、パイロットシンボル系列を受信品質測定部２０９に送り、通知情報用シンボル系列を復調制御部２１６に送り、データシンボル系列をデマッピング部２０７に送る。復調制御部２１６は、通知情報用シンボル系列を復調して通知情報を得て、該通知情報から抽出したスケジューリング情報（端末装置２００宛の送信データに割り当てられたチャネルに関する情報）および変調パラメータ情報を、デマッピング部２０７と復号化部２０８に送る。デマッピング部２０７は、復調制御部２１６から送られたスケジューリング情報および変調パラメータ情報に従い、デマルチプレクス部２０６から送られたデータシンボル系列を復調する。復号化部２０８は、復調制御部２１６から送られたスケジューリング情報および変調パラメータ情報に従い、該データシンボル系列を復調したデータの誤り訂正符号を復号して受信データを取り出す。【００３３】
次に、端末装置２００が報告情報を基地局装置１００にフィードバックする手順を図１および図２を用いて説明する。
受信品質測定部２０９は、デマルチプレクス部２０６から送られたパイロットシンボル系列を用いて、各チャネルにおける受信品質を測定し、この受信品質測定結果を報告情報生成部２１０に送る。なお、本実施形態では、パイロットシンボルを用いて受信品質を測定する場合について説明するが、データシンボル系列を用いた受信品質測定や、受信データの判定結果を用いた受信品質測定を行う場合にも本発明は適用できることは勿論である。報告情報生成部２１０は、受信品質測定部２０９から送られた受信品質測定結果に基づいて、割り当ての候補となる要求チャネルを選択し、該要求チャネルに基づき基地局装置１００にリバースリンクにて送信する報告情報（追加チャネルのチャネル情報とその追加チャネルにおける受信品質情報）を生成し、この報告情報を変調して報告情報用シンボル系列を生成する。報告情報生成部２１０の詳細な説明に関しては後述する。マルチプレクス部２１３は、報告情報生成部２１０が生成した報告情報用シンボル系列と、符号化部２１１およびマッピング部２１２が送信データを誤り訂正符号化・変調して生成したデータシンボル系列とを多重化して基地局装置１００へ送信する信号を生成し、この信号をＤ／Ａ変換部２１４に送る。Ｄ／Ａ変換部２１４は、マルチプレクス部２１３から送られた信号をアナログ信号に変換する。この変換されたアナログ信号を、無線送信部２１５は、アップコンバートし、アンテナ部２０１から基地局装置１００に送信する。【００３４】
基地局装置１００では、端末装置２００から送信された信号を、アンテナ部１０８を経て無線受信部１０９が受信する。この受信したアナログ信号を、無線受信部１０９がダウンコンバートした後に、Ａ／Ｄ変換部１１０は、デジタル信号に変換し、デマルチプレクス部（分離部）１１１に送る。デマルチプレクス部１１１は、Ａ／Ｄ変換部１１０から送られたデジタル信号（シンボル系列）から、報告情報用シンボル系列とデータシンボル系列とを分離し、報告情報用シンボル系列をバッファ部１１７に送り、データシンボル系列をデマッピング部１１２に送る。デマッピング部１１２および復号化部１１３は、デマルチプレクス部１１１で取り出されたデータシンボル系列を復調・復号し、受信データを取り出す。バッファ部１１７は、前回までに端末装置２００から報告された報告情報に基づき、複数の要求チャネル（割り当ての候補となるチャネル）のチャネル情報とそれらのチャネルにおける受信品質情報を、各要求チャネルが追加された順序を示す順序情報とともに記憶している。バッファ部１１７は、デマルチプレクス部１１１から報告情報用シンボル系列が送られてくると、該報告情報用シンボル系列を復調して得た報告情報に基づいて、記憶している複数の要求チャネルのチャネル情報とそれらのチャネルにおける受信品質情報および順序情報を更新する。バッファ部１１７の詳細な動作に関しては、端末装置２００内の報告情報生成部２１０の動作と共に後述する。【００３５】
バッファ部１１７は、記憶していた複数の要求チャネルのチャネル情報とそれらのチャネルにおける受信品質情報と順序情報とを更新した後、（更新済みの）複数の要求チャネルのチャネル情報とそれらのチャネルにおける受信品質情報とをスケジューラ部１１４に送る。なお、基地局装置１００が複数の端末装置２００と通信している場合は、バッファ部１１７は、複数の端末装置２００それぞれに関する複数の要求チャネルのチャネル情報とそれらのチャネルにおける受信品質情報と順序情報とを記憶しており、複数の端末装置２００それぞれの要求チャネルのチャネル情報と受信品質情報とをスケジューラ部１１４に送る。スケジューラ部１１４は、バッファ部１１７から送られた複数の要求チャネルのチャネル情報とそれらのチャネルにおける受信品質情報とに基づいて、各端末装置２００宛の送信データを割り当てるチャネルを決定するとともに、それぞれの送信データの変調パラメータを決定するスケジューリングを行う。スケジューラ部１１４は、スケジューリングを終えた後、スケジューリング情報（各チャネルと各端末装置の対応を示す情報）と変調パラメータ情報を符号化部１０１およびマッピング部１０２に送ると共に、通知情報生成部１１５に送る。通知情報生成部１１５は、スケジューラ部１１４から送られたスケジューリング情報と変調パラメータ情報を端末装置２００に通知するための通知情報用シンボル系列を生成し、マルチプレクス部１０３に送る。以降、送信までの動作は、前述と同様である。【００３６】
図３は、報告情報生成部２１０の内部構成を示す概略ブロック図である。以下では図３を用いて、報告情報生成部２１０の動作に関して、より詳しく説明する。ここで、全チャネル数をＮ、要求チャネル数をＭ、追加チャネル数をＫ（Ｎ、Ｍ、Ｋは、Ｎ＞Ｍ＞Ｋ≧１を満たす整数）とする。受信品質測定部２０９は、各チャネルの受信品質測定結果を、追加チャネル選択部３０１に送る。記憶部３０２は、前回の更新時点でのＭ個の要求チャネルのうちの順序情報の新しい方から（Ｍ−Ｋ）個のチャネル（最新のＭ−Ｋ個の要求チャネル、以下、要求継続チャネルと記す）についてのチャネル情報および順序情報を記憶しており、追加チャネル選択部３０１に前記（Ｍ−Ｋ）個の要求継続チャネル情報を送る。【００３７】
追加チャネル選択部３０１は、受信品質測定結果に基づいて、前記要求継続チャネルに含まれていない（Ｎ−Ｍ＋Ｋ）個のチャネルの中から新たに要求チャネルとして追加する追加チャネルをＫ個選択し、それらの受信品質情報を生成する。追加チャネル選択部３０１は、前記Ｋ個の追加チャネル情報を記憶部３０２に、前記追加チャネル情報とそれらのチャネルにおける受信品質情報を報告情報シンボル生成部３０３に出力する。なお追加チャネル選択部３０１は、受信品質測定結果に基づいて各チャネルの受信品質情報を生成し、その生成した受信品質情報に基づいて追加チャネルを選択する構成としても良い。【００３８】
記憶部３０２は、記憶しておいた前回更新時点での（Ｍ−Ｋ）個の要求継続チャネルの順序情報に基づいて古い方からＫ個の要求継続チャネルに関する情報を削除するとともに、追加チャネル選択部３０１から入力された追加チャネル情報に対して現時点での最新を示す順序情報を付加し、前記で削除されなかった要求継続チャネルに追加して、合わせて（Ｍ−Ｋ）個の新たな要求継続チャネル情報とそれらの順序情報とを記憶する。一方、報告情報シンボル生成部３０３は、追加チャネル選択部３０１から送られた追加チャネル情報とそれらのチャネルにおける受信品質情報を基地局装置１００に報告するための報告情報用シンボル系列を生成し、出力する。【００３９】
基地局装置１００内のバッファ部１１７は、Ｍ個の要求チャネル情報とそれらのチャネルの受信品質情報と順序情報とを記憶している。端末装置２００からＫ個の追加チャネルに関する新たな報告情報が報告された場合、バッファ部１１７は、デマルチプレクス部１１１から該報告情報の報告情報用シンボル系列を受け、次に、記憶しているＭ個の要求チャネルの順序情報に基づいて古い方からＫ個のチャネルに関するチャネル情報、受信品質情報および順序情報を削除し、前述の報告情報用シンボル系列から抽出したＫ個の追加チャネル情報とそれらのチャネルにおける受信品質情報とに対して現時点での最新を示す順序情報を付加して記憶する。【００４０】
次に、報告情報生成部２１０の動作を具体例に沿って説明する。
図４に受信品質測定部２０９から通知された受信品質測定結果の一例を、図５に記憶部３０２に記憶されている（Ｍ−Ｋ）個の要求継続チャネル情報とその順序情報の一例を、それぞれ示す。また、図６には、追加チャネル選択部３０１の動作を表すフローチャートを示している。なお、図４および図５は、全チャネル数Ｎ＝８、要求チャネル数Ｍ＝４、追加チャネル数Ｋ＝１の場合の一例を示し、チャネル情報としてチャネル番号（Ｃ１からＣ８）を用い、図５における順序情報はＴ１が最も古く、以降、Ｔ２、Ｔ３の順に新しくなっていくことを表している。【００４１】
まず、追加チャネル選択部３０１は、図４に示した受信品質測定結果（チャネル情報と受信品質測定結果との組であり、この例では、「Ｃ１、１１」、「Ｃ２、６」、「Ｃ３、８」、「Ｃ４、６」、「Ｃ５、３」、「Ｃ６、４」、「Ｃ７、７」、「Ｃ８、７」）を読み込み（ステップＳ６０１）、図５に示した記憶されている（Ｍ−Ｋ）個（この例では３個）の要求継続チャネル情報と順序情報と（この例では、「Ｃ７、Ｔ１」、「Ｃ２、Ｔ２」、「Ｃ１、Ｔ３」）を記憶部３０２から読み込む（ステップＳ６０２）。次に、追加チャネル選択部３０１は、前記要求継続チャネル（図５の例ではチャネルＣ１、Ｃ２およびＣ７）以外のチャネルの中から、前記受信品質測定結果の良好なＫ個（この例では１個）のチャネル（図４の例に基づくとチャネルＣ３）を追加チャネルとして選択する（ステップＳ６０３）。【００４２】
追加チャネル選択部３０１は、前記受信品質測定結果から、前記選択した追加チャネルの受信品質測定結果を抽出し、該受信品質測定結果（チャネルＣ３の「８」）に基づき受信品質情報を生成する（ステップＳ６０４）。追加チャネル選択部３０１は、追加チャネル情報（この例ではチャネル番号Ｃ３）と前記生成した受信品質情報（この例では「８」）を報告情報シンボル生成部３０３に出力し（ステップＳ６０５）、さらに、追加チャネル情報を記憶部３０２に出力する（ステップＳ６０６）。その結果、追加チャネル選択部３０１から報告情報シンボル生成部３０３へ出力される情報は、図７に例示するように追加チャネル情報「Ｃ３」と該追加チャネルの受信品質情報「８」とになる。【００４３】
また、記憶部３０２は、追加チャネル選択部３０１から追加チャネル情報（この例ではチャネル番号「Ｃ３」）を受け、該追加チャネル情報に最新であることを示す順序情報を付加し、記憶していた（Ｍ−Ｋ）個の要求継続チャネルのうち、古い方からＫ個に代えて記憶する（この例では、Ｋ＝１なので、順序情報として「Ｔ３」より新しいことを示す「Ｔ４」を付加し、最も古いチャネルＣ７に代えてチャネルＣ３に関する情報を記憶する）。この結果、記憶部３０２に記憶されている要求継続チャネルに関する情報は、図５に示される情報から図８に示される情報（チャネル情報と順序情報との組で、「Ｃ２、Ｔ２」、「Ｃ１、Ｔ３」、「Ｃ３、Ｔ４」）に更新される。【００４４】
このように、本実施形態によれば、端末装置２００は、全チャネルから一部分のチャネルを選択し、選択したチャネルの受信品質情報を基地局装置１００へ報告する際、チャネルに関する情報として追加チャネル情報のみを報告する。そのため、選択したすべてのチャネルに関する情報を報告する場合に比べ、報告情報量を抑制することが可能となり、フィードバックによるオーバヘッドを減少させることができる。また、選択したチャネルの受信品質情報の報告に関しても、追加チャネルの受信品質情報のみを報告する。そのため、選択したすべてのチャネルにおける受信品質情報を報告する場合に比べ、報告情報量を抑制することが可能となり、フィードバックによるオーバヘッドを減少させることができる。【００４５】
［第２の実施形態］
図９は、本実施形態における基地局装置４００の構成を示す概略ブロック図である。図１０は、本実施形態における端末装置５００の構成を示す概略ブロック図である。
第１の実施形態では、端末装置２００から基地局装置１００に、追加チャネル情報および追加チャネルの受信品質情報を報告する場合について説明した。本実施形態における端末装置５００は、追加チャネル情報と追加チャネルの受信品質情報に加え、各要求継続チャネルの受信品質情報も報告する。このため、基地局装置４００および端末装置５００の機能ブロックのうち、端末装置２００の報告情報生成部２１０に相当する報告情報生成部５１０と基地局装置１００のバッファ部１１７に相当するバッファ部４１７が、第１の実施形態とは異なる。報告情報生成部５１０およびバッファ部４１７の詳細については、後述する。その他の構成は、第１の実施形態（図１、図２）と同様であり、その説明は省略する。【００４６】
図１１は、本実施形態の報告情報生成部５１０の構成を示す概略ブロック図である。報告情報生成部５１０の動作について図１１を用いて説明する。なお、第１の実施形態と同様に、本実施形態においても、全チャネル数Ｎ、要求チャネル数Ｍ、追加チャネル数Ｋとする。まず、第１の実施形態と同様、受信品質測定部２０９は、受信品質測定結果を、追加チャネル選択部９０１に送る。記憶部３０２は、前回の更新時点でのＭ個の要求チャネルのうちの順序情報の新しい方から（Ｍ−Ｋ）個の要求継続チャネル情報および順序情報を記憶しており、追加チャネル選択部９０１に前記（Ｍ−Ｋ）個の要求継続チャネル情報を送る。【００４７】
追加チャネル選択部９０１は、受信品質測定結果に基づいて、前記要求継続チャネルに含まれていない（Ｎ−Ｍ＋Ｋ）個のチャネルの中から新たに要求チャネルとして追加する追加チャネルをＫ個選択し、それらＫ個の追加チャネルと前記（Ｍ−Ｋ）個の要求継続チャネルとを合わせたＭ個のチャネルについてそれぞれ受信品質情報を生成する。追加チャネル選択部９０１は、前記Ｋ個の選択した追加チャネル情報を記憶部３０２に、前記追加チャネル情報とそのチャネルにおける受信品質情報、および前記（Ｍ−Ｋ）個の要求継続チャネルにおける受信品質情報を報告情報シンボル生成部９０３に出力する。なお追加チャネル選択部９０１は、受信品質測定結果に基づいて各チャネルの受信品質情報を生成し、その生成した受信品質情報に基づいて追加チャネルを選択する構成としても良い。【００４８】
記憶部３０２は、記憶しておいた前回更新時点での（Ｍ−Ｋ）個の要求継続チャネルの順序情報に基づいて古い方からＫ個の要求継続チャネルに関する情報を削除するとともに、追加チャネル選択部９０１から入力された追加チャネル情報に対して現時点での最新を示す順序情報を付加し、前記で削除されなかった要求継続チャネルに追加して、合わせて（Ｍ−Ｋ）個の新たな要求継続チャネル情報とそれらの順序情報を記憶する。【００４９】
報告情報シンボル生成部９０３は、追加チャネル選択部９０１から送られた追加チャネル情報とそのチャネルにおける受信品質情報と前記（Ｍ−Ｋ）個の要求継続チャネルにおける受信品質情報とからなる基地局装置４００への報告情報の報告情報用シンボル系列を生成し、出力する。なお、（Ｍ−Ｋ）個の要求継続チャネルについてはチャネル情報を報告する必要はなく、基地局装置４００との間で予め定めた順番、例えば順序情報の古い順番もしくは新しい順番、またはチャネル情報（チャネル番号）の順番に応じて受信品質情報を配置した報告情報とするのが好ましいが、これに限られるものではない。一方Ｋ個の追加チャネルについては、チャネル情報も報告するため、チャネル情報とそれぞれの受信品質情報とを対応付けて配置した報告情報とするのが好ましいが、これに限られるものではない。【００５０】
次に、図９に示した基地局装置４００内のバッファ部４１７の動作について説明する。
バッファ部４１７は、Ｍ個の要求チャネル情報、それらのチャネルの受信品質情報および順序情報を記憶している。端末装置５００からＫ個の追加チャネルに関する新たな報告情報が報告された場合、バッファ部４１７は、デマルチプレクス部１１１から該報告情報の報告情報用シンボル系列を受け、次に、記憶しているＭ個の要求チャネルの順序情報に基づいて古い方からＫ個のチャネルに関するチャネル情報、受信品質情報および順序情報を削除し、前記報告情報により報告されたＫ個の追加チャネル情報とそれらのチャネルにおける受信品質情報に対して現時点での最新を示す順序情報を付加して記憶するとともに、記憶されている残り（Ｍ−Ｋ）個の要求継続チャネルについての受信品質情報を前記報告情報に基づいて更新する。【００５１】
図１２は、追加チャネル選択部９０１の動作を表すフローチャートである。第１の実施形態における具体例と同様、全チャネル数Ｎ＝８、要求チャネル数Ｍ＝４、追加チャネＫ＝１の例として、端末装置５００の受信品質測定部２０９から追加チャネル選択部９０１に通知される受信品質測定結果の一例として図４に示された情報が入力され、記憶部３０２に記憶されている（Ｍ−Ｋ）個の要求継続チャネルとその順序情報の一例として図５に示された情報が追加チャネル選択部９０１に送られている場合について説明する。なお、図１２の追加チャネル選択部９０１の動作フローチャートは、基本的な動作において図６に示した追加チャネル選択部３０１のものと同様であるが、ステップＳ１００４（図６のステップＳ６０４に対応）において（Ｍ−Ｋ）個の要求継続チャネルについての受信品質情報も生成し、ステップＳ１００５（図６のステップＳ６０５に対応）においてそれら要求継続チャネルの受信品質情報も報告情報シンボル生成部へ出力する点が異なる。【００５２】
まず、追加チャネル選択部９０１は、図４に示した受信品質測定結果（チャネル情報と受信品質測定結果との組であり、この例では、「Ｃ１、１１」、「Ｃ２、６」、「Ｃ３、８」、「Ｃ４、６」、「Ｃ５、３」、「Ｃ６、４」、「Ｃ７、７」、「Ｃ８、７」）を読み込み（ステップＳ１００１）、図５に示した記憶されている（Ｍ−Ｋ）個（この例では３個）の要求継続チャネル情報と順序情報と（この例では、「Ｃ７、Ｔ１」、「Ｃ２、Ｔ２」、「Ｃ１、Ｔ３」）を記憶部３０２から読み込む（ステップＳ１００２）。次に、追加チャネル選択部９０１は、前記要求継続チャネル（図５の例ではチャネルＣ１、Ｃ２およびＣ７）以外のチャネルの中から、前記受信品質測定結果の良好なＫ個（この例では１個）のチャネル（図４の例に基づくとチャネルＣ３）を追加チャネルとして選択する（ステップＳ１００３）。【００５３】
追加チャネル選択部９０１は、前記受信品質測定結果から、前記選択した追加チャネルと要求継続チャネル（この例では、チャネルＣ１、Ｃ２、Ｃ７）の受信品質測定結果を抽出し、該抽出した受信品質測定結果（この例では、チャネルＣ３の「８」とチャネルＣ１、Ｃ２、Ｃ７の「１１」、「６」、「７」）に基づき受信品質情報を生成する（ステップＳ１００４）。追加チャネル選択部９０１は、追加チャネル情報（この例ではチャネル番号Ｃ３）と前記生成した受信品質情報（この例では、チャネルＣ３の「８」とチャネルＣ１、Ｃ２、Ｃ７の「１１」、「６」、「７」）を報告情報シンボル生成部９０３に出力し（ステップＳ１００５）、さらに、追加チャネル情報を記憶部３０２に出力する（ステップＳ１００６）。【００５４】
その結果、追加チャネル選択部９０１から報告情報シンボル生成部９０３へ出力される情報は、図１３に示すように追加チャネル情報が「Ｃ３」、追加チャネルの受信品質情報が「８」、要求継続チャネルの受信品質情報が「１１、６、７」となる。なお、図１３では、要求継続チャネルの受信品質情報は、チャネル情報（チャネル番号）の順番に配置した報告情報とする場合の例を示している。【００５５】
また、記憶部３０２は、追加チャネル選択部９０１から追加チャネル情報「Ｃ３」を受けると、これに記憶部３０２において最新であることを示す順序情報「Ｔ４」（「Ｔ３」より新しいことを示す）を付加し、古い方からＫ＝１個の要求継続チャネル「Ｃ７」に代えて記憶する。この結果、記憶部３０２に記憶されている要求継続チャネルに関する情報は、第１の実施形態と同様に図５に示される情報から図８に示される情報（チャネル情報と順序情報との組で、「Ｃ２、Ｔ２」、「Ｃ１、Ｔ３」、「Ｃ３、Ｔ４」）に更新される。【００５６】
このように、本実施形態によれば、端末装置５００は、全チャネルから一部分のチャネルを要求チャネルとして選択し、要求チャネルの受信品質情報を基地局装置４００へ報告する際、チャネルに関する情報として追加チャネル情報のみを報告する。そのため、すべての要求チャネルに関する情報を報告する場合に比べ、報告情報量を抑制することが可能となり、フィードバックによるオーバヘッドを減少させることができる。また、端末装置５００は、要求チャネルの受信品質情報の報告に関しては、全ての要求チャネルの受信品質情報を報告するため、一定回数（例えば要求チャネル数Ｍが追加チャネル数Ｋの整数倍である場合は、Ｍ／Ｋ回）連続して受信品質情報を基地局装置へ報告することになるため、これらを受けた基地局装置４００は、報告情報に基づいて端末装置５００における受信品質の時間変動の大きさや速さを知ることができる。したがって、スケジューラ部１１４は、これらの受信品質の時間変動の大きさや速さに基づき、スケジューリングすることもできる。
また、記憶部３０２に各要求継続チャネルの前回の受信品質も記憶しておくことによって、要求継続チャネルに関する受信品質情報を前回の受信品質との差分値を用いて報告してもよい。これにより、さらに報告情報量を削減することができる。【００５７】
なお、図１における符号化部１０１、マッピング部１０２、マルチプレクス部１０３、ＩＦＦＴ部１０４、ＧＩ挿入部１０５、デマルチプレクス部１１１、デマッピング部１１２、復号化部１１３、スケジューラ部１１４、通知情報生成部１１５、パイロット生成部１１６、バッファ部１１７、および、図２におけるＧＩ除去部２０４、ＦＦＴ部２０５、デマルチプレクス部２０６、デマッピング部２０７、復号化部２０８、受信品質測定部２０９、報告情報生成部２１０、符号化部２１１、マッピング部２１２、マルチプレクス部２１３、復調制御部２１６、および、図３における追加チャネル選択部３０１、記憶部３０２、報告情報シンボル生成部３０３、および、図１１における追加チャネル選択部９０１、記憶部３０２、報告情報シンボル生成部９０３は専用のハードウェアにより実現されるものであってもよく、また、これらの機能ブロックはメモリおよびＣＰＵ（中央演算装置）により構成され、各機能ブロックの機能を実現するためのプログラムをＣＰＵが実行することによりその機能を実現させるものであってもよい。【００５８】
以上、この発明の実施形態を図面を参照して詳述してきたが、具体的な構成はこの実施形態に限られるものではなく、この発明の要旨を逸脱しない範囲の設計変更なども含まれる。
【産業上の利用可能性】
【００５９】
本発明は、ＯＦＤＭＡなどの複数のチャネルの中から送信側が割り当てたチャネルにて通信する携帯電話システムに用いて好適であるが、これに限定されない。
【図１】
2008041752.tif 000003
【図２】
2008041752.tif 000004
【図３】
2008041752.tif 000005
【図４】
2008041752.tif 000006
【図５】
2008041752.tif 000007
【図６】
2008041752.tif 000008
【図７】
2008041752.tif 000009
【図８】
2008041752.tif 000010
【図９】
2008041752.tif 000011
【図１０】
2008041752.tif 000012
【図１１】
2008041752.tif 000013
【図１２】
2008041752.tif 000014
【図１３】
2008041752.tif 000015
【国際調査報告】
2008041752.tif 000016
2008041752.tif 000017
2008041752.tif 000018